(57)【要約】【課題】  省電力化を図りつつ、利用者の利便性を向上させる。【解決手段】  非接触式ＩＣカード２００を収容可能で有り、非接触式ＩＣカードに保存されたカード情報を表示する表示パネル部１０を有するカードケース１であって、駆動部１２０と、ケース制御部１３０と、ケース電源部１４０と、ケース送信部１５０Ａと、ケース受信部１５０Ｂとを有し、表示パネル部１０は、駆動部１２０に供給される電力が遮断された後もカード情報が表示できる表示メモリ性を有する。【選択図】図１
2014016932.tif 000002
【特許請求の範囲】
【請求項１】
非接触式ＩＣカードを収容可能であり、前記非接触式ＩＣカードに保存されたカード情報を表示する表示パネル部を有するカードケースであって、
前記表示パネル部を駆動し、前記カード情報を前記表示パネル部に表示させる駆動部と、
前記駆動部を制御する制御部と、
前記駆動部に電力を供給する電源部と、
前記カード情報を要求する要求信号を前記非接触式ＩＣカードに送信する送信部と、
前記非接触式ＩＣカードから前記カード情報を受信する受信部と、を有し、
前記表示パネル部は、前記駆動部に供給される電力が遮断された後も前記カード情報が表示できる表示メモリ性を有することを特徴とするカードケース。
【請求項２】
前記非接触式ＩＣカードが前記カードケースに挿入されたことを検出する検出部を有し、
前記非接触式ＩＣカードが前記カードケースに挿入されたことを前記検出部が検出した場合、前記送信部は、前記要求信号を前記非接触式ＩＣカードに送信することを特徴とする請求項１に記載のカードケース。
【請求項３】
前記非接触式ＩＣカードの前記カード情報を読み取るリーダライタ又は前記非接触式ＩＣカードから、所定の情報が送信され、
前記受信部が前記所定の情報を受信した場合、前記送信部は、前記要求信号を前記非接触式ＩＣカードに送信することを特徴とする請求項１又は２に記載のカードケース。
【請求項４】
前記非接触式ＩＣカードが前記カードケースから抜去されたことを前記検出部が検出した場合、前記表示パネル部から前記カード情報を消去する請求項２に記載のカードケース。
【発明の詳細な説明】
【技術分野】
【０００１】
本発明は、非接触式ＩＣカードを収容可能なカードケースに関する。
【背景技術】
【０００２】
従来、ＩＣカードに記録されたカード情報（例えば、残高）が表示される表示部が設けられるカードケースが知られている（例えば、特許文献１、２参照）。
【０００３】
特許文献１，２のカードケースには、記憶部及び制御部を有する非接触式カードが収容される。この非接触式カードをカードケースに収容した場合、非接触式カードに設けられた接続端子とカードケースに設けられた接続端子とが接続される。
【０００４】
特許文献１のカードケースでは、非接触式カードに設けられた接続端子とカードケースに設けられた接続端子とが接続されると、非接触式カードの制御部は、カードケースが備える制御部に、カード情報を送信する。カードケースの制御部は、送信されたカード情報を表示部に表示する。
【０００５】
特許文献２のカードケースには、スイッチ部が設けられた非接触式カードが挿入される。スイッチ部が押されると、制御部は、残高が記録された記憶部から残高を読み出す。
【０００６】
特許文献２のカードケースでは、利用者がカードケースに設けられた操作部を押すことにより、スイッチ部が押される。これにより、制御部は、記憶部から残高を読み出し、読み出した残高が所定の閾値以上（又は閾値以下）である場合に、カードケースに設けられた表示部が点滅する。
【０００７】
特許文献１、２のカードケースであれば、利用者は、カード情報が表示された表示部を視認することによって、カード情報を確認できる。このため、利用者は、カード情報を読み取って表示するカードリーダを利用しなくても、カード情報を手軽に確認することができる。
【先行技術文献】
【特許文献】
【０００８】
【特許文献１】特開平１０−１４９４１４号公報
【特許文献２】特開２００８−２９３０８４号公報
【発明の概要】
【発明が解決しようとする課題】
【０００９】
特許文献１のカードケースでは、表示部として、液晶ディスプレイが用いられている。このため、利用者がカード情報を自由に確認できるように、表示部にカード情報を常に表示させた場合、表示部に電力を常に供給しなければならず、環境への配慮から、省電力化が求められていた。
【００１０】
特許文献２のカードケースには、残高が記録された記憶部から残高を読み出す制御部及び制御部を作動させるスイッチ部が設けられたカードを収容しないと表示部にカード情報が表示されなかった。従って、現在広く流通している一般的なカードを収容しても表示部に表示されず、カード情報を必ずしも手軽に確認することができなかった。従って、一般的なカードでは、依然として、カードリーダを利用する必要があった。利用者は、カード情報を確認したいときにすぐにそのカード情報を確認することができなかった。
【００１１】
また、特許文献２のカードケースであっても、利用者がスイッチ部を押さないと表示部にカード情報が表示されないため、利用者は、カード情報を確認したいときにすぐにそのカード情報を確認することができなかった。
【００１２】
そこで、本発明は、このような状況に鑑みてなされたものであり、省電力化を図りつつ、利用者の利便性を向上させたカードケースを提供することを目的とする。
【課題を解決するための手段】
【００１３】
上述した課題を解決するため、本発明は、次のような特徴を有している。本発明の特徴は、非接触式ＩＣカードを収容可能であり、前記非接触式ＩＣカードに保存されたカード情報を表示する表示パネル部を有するカードケースであって、前記表示パネル部を駆動し、前記カード情報を前記表示パネル部に表示させる駆動部と、前記駆動部を制御する制御部と、前記駆動部に電力を供給する電源部と、前記カード情報を要求する要求信号を前記非接触式ＩＣカードに送信する送信部と、前記非接触式ＩＣカードから前記カード情報を受信する受信部と、を有し、前記表示パネル部は、前記駆動部に供給される電力が遮断された後も前記カード情報が表示できる表示メモリ性を有することを要旨とする。
【００１４】
本発明の特徴によれば、カード情報を確認するために、利用者が所定の操作を行わなくても、表示パネル部に常にカード情報を表示させることができる。駆動部に電力が供給されていないため、省電力化を図りつつ、利用者の利便性を向上させることができる。
【発明の効果】
【００１５】
本発明によれば、省電力化を図りつつ、利用者の利便性を向上させたカードケースを提供できる。
【図面の簡単な説明】
【００１６】
【図１】図１は、第１実施形態に係るカードケース１の概略斜視図である。
【図２】図２（ａ）及び図２（ｂ）は、第１実施形態に係るカードケース１の概略平面図である。
【図３】図３は、第１実施形態に係る表示メモリ性を有する表示パネル部１０の概略斜視図である。
【図４】図４は、カードケース１、カード２００及びリーダライタ４００の論理ブロック構成図である。
【図５】図５は、第１実施形態に係るカードケース１にカード２００が挿入された場合のカードケース１の動作を示すフローチャートである。
【図６】図６は、第１実施形態に係るカードケース１からカード２００が抜去された場合のカードケース１の動作を示すフローチャートである。
【図７】図７は、第２実施形態に係るカードケース１の動作を示すフローチャートである。
【図８】図８（ａ）は、その他実施形態に係るカードケース１の概略平面図である。図８（ｂ）及び図８（ｃ）は、図８（ａ）のＡ−Ａ概略断面図である。
【発明を実施するための形態】
【００１７】
本発明に係るカードケースの一例について、図面を参照しながら説明する。具体的には、第１実施形態、第２実施形態、その他実施形態、について説明する。
【００１８】
以下の図面の記載において、同一または類似の部分には、同一又は類似の符号を付している。図面は模式的なのものであり、各寸法の比率などは現実のものとは異なることを留意すべきである。従って、具体的な寸法などは以下の説明を参酌して判断すべきものである。図面相互間においても互いの寸法の関係や比率が異なる部分が含まれていることは勿論である。
【００１９】
［第１実施形態］
（１）カードケース１のハード構成
本実施形態に係るカードケース１のハード構成について、図１から図３を参照しながら説明する。図１は、第１実施形態に係るカードケース１の概略斜視図である。図２（ａ）及び図２（ｂ）は、第１実施形態に係るカードケース１の概略平面図である。図３は、第１実施形態に係る表示メモリ性を有する表示パネル部１０の概略斜視図である。
【００２０】
図１、図２（ａ）及び図２（ｂ）に示されるように、カードケース１は、ケース本体部５、表示パネル部１０、及びスイッチ部１６０を有する。カードケース１は、カード２００を収容可能である。なお、カード２００は、非接触式ＩＣカードである。
【００２１】
ケース本体部５は、開口部５ａ及びカード２００を収容可能な空間が形成されている。ケース本体部５の空間は、ケース本体部５の内側面５ｂ及び底面５ｃによって構成される。底面５ｃ側の内側面５ｂには、スイッチ部１６０が設けられる。
【００２２】
本実施形態において、ケース本体部５は、表示パネル部１０が設けられた面と、表示パネル部１０に対向する面との少なくとも一方の面が透明である。これにより、カードケース１に収容されたカード２００を視認することができる。
【００２３】
ケース本体部５を構成する材料として、アクリル板、ポリプロピレン板、ポリスチレン板、ガラス繊維補強エポキシ板、カーボン繊維補強エポキシ板、ポリカーボネート板などのプラスチック板を用いることが好ましい。ケース本体部５を構成する基板の板厚は、１ｍｍ〜２ｍｍが好ましい。これにより、ケース本体部５が局部的に曲がることを抑制できる。
【００２４】
図２（ａ）に示されるように、カード２００は、開口部５ａからケース本体部５に挿入される。図２（ｂ）に示されるように、カード２００がケース本体部５に挿入されると、スイッチ部１６０は、カード２００との接触により、押圧される。
【００２５】
表示パネル部１０は、ケース本体部５の外側の上面の中央に位置する。表示パネル部１０は、カード２００に保存されたカード情報を表示する。表示パネル部１０は、後述する駆動部１２０に供給される電極が遮断された後もカード情報が表示できる表示メモリ性を有する。
【００２６】
図３、に示されるように、表示メモリ性を有する表示パネル部１０は、一対の基板２０、一対の電極４０、複数の表示媒体６０、隔壁８０を有する。表示パネル部１０は、表示媒体６０を駆動させることによって情報画像が表示される。本実施形態に係る表示媒体６０は、帯電性粒子である、表示媒体６０は、一対の電極４０間を電界によって移動する。この表示方式では、後述の表面基板２０ａ側に移動した帯電性粒子は、給電が断たれても表面基板２０ａに付着した状態が保持される。従って、
表示パネル部１０は、表示メモリ性を示す。本実施形態に係る表示メモリ性を有する表示パネル部１０には、パッシブマトリックス駆動方式が用いられる。
【００２７】
一対の基板２０は、表面基板２０ａと裏面基板２０ｂとによって構成される。本実施形態において、表面基板２０ａは、透明な基板であり、裏面基板２０ｂは、不透明な基板である。表面基板２０ａと裏面基板２０ｂとは、対向している。
【００２８】
なお、表示パネル部１０の構成としては、例えば、特開２０１２−２７０９７、WO／２０１０／１４６８１０に記載された構成を適用することができる。
【００２９】
（２）カードケース１、カード２００及びリーダライタ４００の論理ブロック構成
本実施形態に係るカードケース１、カード２００及びリーダライタ４００の論理ブロック構成について、図４を参照しながら説明する。図４は、カードケース１、カード２００及びリーダライタ４００の論理ブロック構成図である。
【００３０】
（２．１）カードケース１の論理ブロック構成
図４に示されるように、カードケース１は、表示パネル部１０、駆動部１２０、ケース制御部１３０、ケース記憶部１３５、ケース電源部１４０、ケース送信部１５０Ａ、ケース受信部１５０Ｂ、電力送信部１５０Ｃ、ケースアンテナ部１５５、スイッチ部１６０及び検出部１７０を有する。
【００３１】
表示パネル部１０は、カード情報を表示する。カード情報は、例えば、残高（残りの金額）又は残りのポイント数である。他にもカード情報として、例えば、利用可能な残りの日数及び利用回数であってもよい。
【００３２】
駆動部１２０は、表示パネル部１０を駆動し、カード情報を表示パネル部１０に表示させる。駆動部１２０は、ケース制御部１３０からの制御に基づいて、表示パネル部１０を駆動する。本実施形態において、駆動部１２０は、ロジックコントローラ及びドライバＩＣによって構成される。
【００３３】
ロジックコントローラは、ケース制御部１３０からの制御に基づいて、ドライバＩＣを制御する。ロジックコントローラは、表示パネル部１０に適切な画像を表示させるために必要な処理が記憶されたチップによって構成される。
【００３４】
ドライバＩＣは、表示パネル部１０を駆動するＩＣチップによって構成される。ドライバＩＣは、ロジックコントローラからの制御に基づいて、ケース電源部１４０から供給された複数の電圧のうち何れかの電圧を選択し、選択した電圧値のパルスを出力する。
【００３５】
ケース制御部１３０は、駆動部１２０を制御する。ケース制御部１３０は、表示パネル部の一対の電極４０に印加される電圧を制御することによって表示パネル部に配置された表示媒体６０を駆動させる。ケース制御部１３０は、ＣＰＵによって構成される。ケース制御部１３０は、ケース記憶部１３５に含まれるＲＯＭに格納された制御プログラムに従って、ロジックコントローラなどを制御する。具体的には、制御部は、所定の信号を出力することによって、ロジックコントローラなどを制御する。
【００３６】
ケース制御部１３０は、ケース送信部１５０Ａが要求信号をカード２００に送信するようにケース送信部１５０Ａを制御する。また、ケース制御部１３０は、ケースアンテナ部１５５から交流磁界を発生させる。なお、要求信号は、要求情報を含むものである。
【００３７】
ケース記憶部１３５は、一次記憶部（ＲＯＭ及びＲＡＭ）を含む。また、ケース記憶部１３５は、表示パネル部１０に表示する所定の情報のデータを格納している。ケース記憶部１３５は、半導体メモリ、ハードディスク等により構成される。ケース記憶部１３５は、書き換え可能なＵＳＢメモリ等の記録媒体であってもよい。
【００３８】
ケース電源部１４０は、駆動部１２０に電力を供給する。具体的には、ケース電源部１４０は、ＤＣ−ＤＣコンバータ（不図示）によって生成された複数の電圧をドライバＩＣに供給する。ケース電源部１４０は、駆動部１２０だけでなく、必要に応じて、他の部分にも電力を供給する。例えば、ケース電源部１４０は、ケース制御部１３０に電力を供給する。
【００３９】
また、ケース電源部１４０は、カード２００に電力を供給する。具体的には、ケース電源部１４０は、電力送信部１５０Ｃを介して電力をカード２００に非接触で供給する。
【００４０】
ケース電源部１４０は、電池、充電式電池、太陽電池などの方式を適用できる。ケース電源部１４０は、小型かつ薄型のものであれば何でもよく、コイン型電池、シート状電池が好ましい。また、電池を充電式とし、カードケース１の一端に充電用の端子を形成して、カードケース１を充電器に載置または装着することによって、ケース電源部１４０を構成する電池を充電できるようにすることも可能である。
【００４１】
ケース送信部１５０Ａは、カード情報を要求する要求信号をカード２００に送信する。ケース送信部１５０Ａは、ケースアンテナ部１５５を介して、要求信号をカード２００に送信する。ケース送信部１５０Ａは、その他の情報を送信してもよい。
【００４２】
ケース受信部１５０Ｂは、カード２００からカード情報を受信する。ケース受信部１５０Ｂは、ケースアンテナ部１５５を介して、カード情報を受信する。ケース受信部１５０Ｂは、その他の情報を受信してもよい。また、ケース受信部１５０Ｂは、カード２００からだけでなく、リーダライタ４００から情報を受信してもよい。
【００４３】
電力送信部１５０Ｃは、ケース電源部１４０が供給する電力をカード２００に非接触で供給する。
【００４４】
ケースアンテナ部１５５及びカードアンテナ部２５５は、例えば、ループ状のコイルによって構成される。ケースアンテナ部１５５及びカードアンテナ部２５５は、カードケース１にカード２００を収納したときに互いに重なる位置に配置されることが好ましい。これにより、ケースアンテナ部１５５及びカードアンテナ部２５５は、互いに情報を送受信し易くなる。加えて、ケース電源部１４０からカード２００への電力供給もし易くなる。
【００４５】
スイッチ部１６０は、カード２００がカードケース１に挿入されたときに、カード２００によって、押圧される。スイッチ部１６０は、押圧されたときに、スイッチ部１６０が押圧されたことを示すトリガー情報を検出部１７０に送信する。
【００４６】
スイッチ部１６０は、スイッチ部１６０が押圧されている間、トリガー情報を検出部１７０に送信し続けてもよい。スイッチ部１６０は、スイッチ部１６０が押圧されなくなったときに、スイッチ部１６０が押圧されなくなったことを示す終了情報を検出部１７０に送信してもよい。
【００４７】
検出部１７０は、カード２００がカードケース１に挿入されたことを検出する。検出部１７０は、スイッチ部１６０から送信されたトリガー情報を検出する。検出部１７０は、トリガー情報を検出すると、ケース制御部１３０にトリガー情報を検出したことを示す検出情報を送信する。
【００４８】
（２．２）カード２００の論理ブロック構成
図４に示されるように、カード２００は、カード制御部２３０、カード記憶部２３５、受電部２４０、カード送信部２５０Ａ、カード受信部２５０Ｂ及びカードアンテナ部２５５を有する。なお、カード２００は、ＩＣチップを有する。ＩＣチップは、カード制御部２３０、カード記憶部２３５、受電部２４０、カード送信部２５０Ａ及びカード受信部２５０Ｂを内蔵する。
【００４９】
カード制御部２３０は、カード記憶部２３５に記憶されたカード情報をカード送信部２５０Ａから送信させる。カード制御部２３０は、カード送信部２５０Ａが所定の情報を送信するように、カード送信部２５０Ａを制御する。
【００５０】
カード記憶部２３５は、ケース記憶部１３５と同様の構成である。カード記憶部２３５には、カード情報が保存される。
【００５１】
受電部２４０は、カードケース１との電気的接続を介して、カードケース１の電源部１４０から電力送信部１５０Cを介して供給される電力を非接触で受電する。また、リーダライタ４００から供給される電力を非接触で受電する。受電部２４０は、受電した電力をカード制御部２３０に供給する。
【００５２】
カード送信部２５０Ａ、カード受信部２５０Ｂ及びカードアンテナ部２５５は、それぞれケース送信部１５０Ａ、ケース受信部１５０Ｂ及びケースアンテナ部１５５と同様の構成である。
【００５３】
（２．３）リーダライタ４００の論理ブロック構成
図４に示されるように、リーダライタ４００は、リーダライタ制御部４３０、リーダライタ電源部４４０、リーダライタ送信部４５０Ａ、リーダライタ受信部４５０Ｂ及びリーダライタアンテナ部４５５を有する。
【００５４】
リーダライタ制御部４３０は、カード２００に送信する所定の情報信号を制御する。リーダライタ制御部４３０は、カード情報を更新するための電力をカード２００に給電する。リーダライタ制御部４３０は、リーダライタ送信部４５０Ａが所定の情報信号を送信するように、リーダライタ送信部４５０Ａを制御する。
【００５５】
リーダライタ電源部４４０は、リーダライタ制御部４３０に電力を供給する。リーダライタ電源部４４０は、リーダライタ制御部４３０だけでなく、必要に応じて、リーダライタ４００を構成する他の部分にも電力を供給する。また、リーダライタ電源部４４０は、カード２００に電力を供給する。
【００５６】
リーダライタ電源部４４０は、必ずしもリーダライタ４００が備えていなくてもよい。この場合、リーダライタ４００を外部電源に接続し、外部電源から電力が供給される。
【００５７】
リーダライタ４００は、例えば、自動改札や券売機を兼用した電子マネーチャージャーなどの設置型である。この場合、リーダライタ４００は、接続された外部電源から電力の供給を受ける。
【００５８】
リーダライタ送信部４５０Ａ、リーダライタ受信部４５０Ｂ及びリーダライタアンテナ部４５５は、それぞれケース送信部１５０Ａ、ケース受信部１５０Ｂ及びケースアンテナ部１５５と同様の構成である。
【００５９】
なお、リーダライタ４００は、カード２００のカード情報を読み取る。また、リーダライタ４００は、カード２００のカード情報を更新する。
【００６０】
（３）カードケース１の動作
本実施形態に係るカードケース１の動作について、図５及び図６を参照しながら説明する。図５は、第１実施形態に係るカードケース１にカード２００が挿入された場合のカードケース１の動作を示すフローチャートである。図６は、第１実施形態に係るカードケース１からカード２００が抜去された場合のカードケース１の動作を示すフローチャートである。
【００６１】
カードケース１にカード２００が挿入された場合のカードケース１の動作を説明する。
【００６２】
図５に示されるように、ステップＳ１０１において、カードケース１にカード２００を挿入する。
【００６３】
ステップＳ１０２において、スイッチ部１６０が押圧されているか判定する。
【００６４】
スイッチ部１６０が押圧されていると判定した場合、ステップＳ１０３において、スイッチ部１６０から検出部１７０にトリガー情報を送信する。
【００６５】
スイッチ部１６０がカード２００に押圧されていないと判定した場合、このまま何も変わらず終了となる。従って、表示パネル部１０の表示は更新されない。
【００６６】
ステップＳ１０４において、検出部１７０は、スイッチ部１６０からトリガー情報を受信したとき、検出情報をケース制御部１３０に送信する。
【００６７】
ステップＳ１０５において、ケース制御部１３０は、検出情報を受信したとき、ケース制御部１３０は、カード情報を要求する要求信号をケース送信部１５０Ａから送信させる。ケース送信部１５０Ａは、ケースアンテナ部１５５を介して、要求信号を送信する。カード受信部２５０Ｂは、カードアンテナ部２５５を介して、要求信号を受信する。これにより、カード２００がカードケース１に挿入されたことを検出部１７０が検出した場合、ケース送信部１５０Ａが要求信号をカード２００に送信する。
【００６８】
カード制御部２３０は、カード記憶部２３５に記憶されたカード情報をカード送信部２５０Ａから送信させる。カード送信部２５０Ａは、カードアンテナ部２５５を介して、カード情報を送信する。
【００６９】
ステップＳ１０６において、ケース受信部１５０Ｂは、ケースアンテナ部１５５を介して、カード情報をカード２００から受信する。ケース受信部１５０Ｂは、受信したカード情報をケース制御部１３０に送信する。これにより、ケース制御部１３０は、カード情報をカード２００から受信する。
【００７０】
ステップＳ１０７において、ケース制御部１３０は、ケース駆動部１２０を制御し、カード情報を表示パネル部１０に表示する。ケース制御部１３０は、受信したカード情報を基に駆動部１２０を制御する。ケース制御部１３０は、カード情報に基づいた制御情報を駆動部１２０に送信する。駆動部１２０は、制御情報に基づいて、カード情報を表示データに変換する。駆動部１２０は、変換した表示データを表示パネル部１０に送信する。表示パネル部１０は、表示データに基づいて、カード情報を表示する。
【００７１】
ステップＳ１０８において、表示パネル部１０にカード情報が表示されてから所定時間経過したとき、ケース制御部１３０は、駆動部１２０への電力の供給を遮断させる遮断情報をケース電源部１４０に送信する。ケース電源部１４０は、遮断情報を受信すると、ケース電源部１４０は、駆動部１２０への電力の供給を終了する。
【００７２】
表示パネル部１０は、表示メモリ性を有するため、駆動部１２０への電力の供給が終了しても、表示パネル部１０には更新されたカード情報が表示され続ける。カード情報を表示し続けたくない場合は、カード情報を確認した後、以下の動作を行うことで、表示パネル部の表示画面から情報を消去することができる。
【００７３】
次に、カードケース１からカード２００が抜去された場合のカードケース１の動作を説明する。なお、「抜去する」とは、カードケース１からカード２００を完全に取り出すことを意味するだけでなく、カードケース１からカード２００を部分的に移動させることを含む。従って、スイッチ部１６０がカード２００から押圧された状態から、カードケース１からカード２００の位置を移動させて、スイッチ部１６０が押圧されていない状態にする行為も、「抜去する」に含まれる。
【００７４】
図６に示されるように、ステップＳ２０１において、カードケース１からカード２００を抜去する。
【００７５】
ステップＳ２０２において、スイッチ部１６０が押圧されていないか判定する。
【００７６】
カード２００を抜去することによってスイッチ部１６０が押圧されていないと判定した場合、スイッチ部１６０から検出部１７０に消去情報を送信する。
【００７７】
検出部１７０は、スイッチ部１６０が押圧されていない場合、すなわち、検出部１７０が、消去情報を受信した場合、ステップＳ２０３において、検出部１７０は、消去情報をケース制御部１３０に送信する。
【００７８】
スイッチ部１６０がカード２００に押圧されていると判定した場合、表示パネル部１０に表示されているカード情報は消去されずにそのまま表示される。スイッチ部１６０がカード２００に押圧されていないと判定した場合、再びスイッチ部１６０が押圧されていないか判定する。
【００７９】
ステップＳ２０４において、ケース制御部１３０は、消去情報を受信したとき、ケース制御部１３０は、駆動部１２０を制御し、表示パネル部１０の表示画面からカード情報を消去させる。ケース制御部１３０は、カード情報を表示パネル部１０から消去させる消去情報を駆動部１２０に送信する。駆動部１２０は、消去情報に基づいて、表示パネル部１０からカード情報を消去するか、または、カード情報から消去画像に更新するかのいずれかを実行する。
【００８０】
以上のステップにより、カード２００がカードケース１から抜去されたことを検出部１７０が検出した場合、表示パネル部１０からカード情報を消去する。この場合、表示メモリ性を有する表示パネル部１０の表示画面は一色のべた表示の状態となる。
【００８１】
（４）作用効果
カードケース１によれば、表示パネル部１０は、駆動部１２０に供給される電力が遮断された後もカード情報が表示できる表示メモリ性を有する。従って、カード情報を確認するために、利用者が所定の操作を行わなくても、表示パネル部１０に常にカード情報を表示させることができる。表示メモリ性を有しない表示部が設けられたカードケースと異なり、駆動部１２０に電力を供給し続けなくても、カード情報が更新されるまでカード情報を常に表示することが可能であるため、省電力化を図りつつ、利用者の利便性を向上させることができる。
【００８２】
カードケース１によれば、カード２００がカードケース１に挿入されたことを検出部１７０が検出した場合、ケース送信部１５０Ａは、要求信号をカード２００に送信する。従って、利用者は、カードケース１にカード２００を挿入するだけで、更新されたカード情報をカードケース１の表示パネル部１０を介して確認することができ、利用者は、カード情報を確認するために所定の操作を行う必要がない。このため、利用者の利便性をさらに向上することができる。また、表示パネル部１０から一旦消去したカード情報は、もう一度カードケース１の所定の位置にカード２００を移動させることにより表示パネル部１０に表示させることができる。
【００８３】
カードケース１によれば、カード２００の位置を移動させることによって、カード２００がカードケース１から抜去されたことを検出部１７０が検出した場合、表示パネル部１０からカード情報の表示を消去する。表示パネル部１０は、表示メモリ性を有しているため、消去動作を実行しない限り、カード情報が常に表示され得る。個人情報の安全性の観点から、カード情報が常に表示されることを好まない利用者も存在し得る。カードケース１によれば、カード２００をカードケース１から抜去するだけで、表示パネル部１０からカード情報の表示が消去されるため、利用者の利便性をさらに向上することができる。
【００８４】
また、カード２００がカードケース１から抜去されたことを検出部１７０が検出した場合、表示パネル部１０に表示させたカード情報の表示を消去できるため、カード情報を確認した後にカード情報を消去すれば、個人情報の漏洩防止が図れる。
【００８５】
［第２実施形態］
次に、第２実施形態に係るカードケース１について、図７を参照しながら説明する。図７は、第２実施形態に係るカードケース１の動作を示すフローチャートである。なお、第２実施形態に係るカードケース１のハード構成及び論理ブロック構成は、上述した実施形態と同様であるため、説明を省略する。
【００８６】
カードケース１にカード２００が収容された状態において、カード２００をリーダライタ４００にかざした場合のカードケース１の動作を説明する。カードケース１にカード２００が収容されているため、スイッチ部１６０はカード２００に押圧された状態である。
【００８７】
図７に示されるように、ステップ３０１において、リーダライタ４００からカード２００へ所定の情報が送信される。具体的には、カード２００をリーダライタ４００にかざす（開始）と、リーダライタ４００から所定の情報がカード２００に送信される。前記リーダライタ４００が送信した所定の情報は、カード２００が受信する。これにより、カード記憶部２３５に記憶されているカード情報が更新される。
【００８８】
ステップ３０２において、カード２００からケース受信部１５０Ｂへ所定の情報が送信される。カード制御部２３０は、カード記憶部２３５に記憶された所定の情報をカード送信部２５０Ａから送信させる。カード送信部２５０Ａは、カードアンテナ部２５５を介して、所定の情報を送信する。ここでいう所定の情報とは、例えば、更新されたカード情報である。
【００８９】
カード２００から送信された所定の情報を、ケースアンテナ部１５５を介して、ケース受信部１５０Ｂは、受信する。
【００９０】
ステップＳ３０３において、ケース受信部１５０Ｂが所定の情報を受信したか判定する。
【００９１】
ケース受信部１５０Ｂが所定の情報を受信していないとき、終了となる。従って、表示パネル部１０の表示は更新されない。
【００９２】
ケース受信部１５０Ｂは、所定の情報を受信したとき、ステップＳ３０４において、ケース受信部１５０Ｂは、受信情報をケース制御部１３０に送信する。
【００９３】
ステップＳ３０５において、ケース制御部１３０は、受信情報を受信したとき、ケース制御部１３０は、カード情報を要求する要求信号をケース送信部１５０Ａから送信させる。ステップＳ３０５は、上述したステップＳ１０５と同様である。
【００９４】
以下のステップＳ３０５以下は、図５のフローチャートに示したステップＳ１０６以下と同様であるため、説明を省略する。
【００９５】
本実施形態に係るカードケース１によれば、カード２００から所定の情報が送信されケース受信部１５０Ｂが所定の情報を受信した場合、ケース送信部１５０Ａは、要求信号をカード２００に送信する。このため、利用者は、カード２００をカードケース１に挿入した状態のままで、言い換えれば、カード２００をカードケースから取り出さずにリーダライタ４００にかざすだけで、更新されたカード情報が表示パネル部１０に表示される。従って、利用者は、所定の操作を行わなくても、リーダライタ４００にかざした後に更新されたカード情報を表示パネル部で確認することができる。従って、利用者の利便性をさらに向上することができる。
【００９６】
［その他実施形態］
本発明の実施形態を通じて本発明の内容を開示したが、この開示の一部をなす論述及び図面は、本発明を限定するものであると理解すべきではない。本発明はここでは記載していない様々な実施形態を含む。
【００９７】
上述した実施形態では、底面５ｃ側の内側面５ｂには、スイッチ部１６０が設けられていたが、これに限られない。スイッチ部１６０は、開口部５ａ側の内側面５ｂに設けられてもよい。また、スイッチ部１６０は、底面５ｃに設けられてもよい。また、図８（ａ）から図８（ｃ）に示されるように、カード２００を収容可能な空間において、表示パネル部１０が設けられる面側に、スイッチ部１６０は設けられてもよい。この場合、スイッチ部１６０は、カード２００の側面によりスイッチ部１６０を押圧するのではなく、カード２００の上面によりスイッチ部１６０を押圧する。
【００９８】
上述した実施形態では、表示パネル部１０には、パッシブマトリックス駆動方式が用いられていたが、これに限られない。表示パネル部１０には、アクティブマトリックス駆動方式を用いてもよい。この場合、表面電極４０Ａを共通電極とし、裏面電極４０ＢをＴＦＴ４５（薄膜トランジスタ４５）付き画素電極となる。各セルに対応して、ＴＦＴ４５が形成される。
【００９９】
また、表示メモリ性を有する表示パネル部１０は、コレステリック液晶を駆動させる方式であってもよい。
【０１００】
本実施形態において、隔壁８０によって形成されるセルは、矩形状となるように、隔壁８０が配置されているが、これに限られない。例えば、隔壁８０の配置をハニカム状、網目状などにすることができる。これにより、Ｘ方向及びＹ方向に沿った断面において、セルの形状は、四角形、三角形、六角形等の多角形や、円形、楕円形、レーストラック形等いずれでも良いし、複数の形状を組み合わせてもよい。セルの開口率を大きくできる点からは、セルの形状は、矩形（四角形）や六角形が好ましい。表示媒体６０に粒子群を用いた場合、粒子群を移動しやすくできる点からは、セルの形状は、曲線を有する形状が好ましい。前記二つの点から角丸付きの四角形や角丸付きの六角形が好ましく用いられる。
【０１０１】
上述した第２実施形態では、カード２００から所定の情報が送信され、ケース受信部１５０Ｂが所定の情報を受信していたが、これに限られない。リーダライタ４００から所定の情報が送信され、ケース受信部１５０Ｂが所定の情報を受信してもよい。ケース受信部１５０Ｂが所定の情報を受信したか判定し、ケース受信部１５０Ｂは、所定の情報を受信したとき、ケース受信部１５０Ｂは、受信情報をケース制御部１３０に送信する。後のステップは、上述した第２実施形態と同様である。
【０１０２】
従って、ケース制御部１３０が、カード２００に要求信号を送信するトリガーとなる情報は、カード２００から送信されてもよいし、リーダライタ４００から送信されてもよい。
【０１０３】
また、上述した第２実施形態において、スイッチ部１６０がカード２００に押圧されていない場合、カード２００又はリーダライタ４００から所定の情報が送信され、ケース受信部１５０Ｂが所定の情報を受信した場合であっても、表示パネル部１０のカード情報は、更新されてなくてもよい。すなわち、スイッチ部１６０がカード２００に押圧されている場合のみ、ケース受信部１５０Ｂが所定の情報を受信したか判定してもよい。
【０１０４】
この場合、カード２００が、スイッチ部１６０を押圧するように、カードケース１に挿入することによって、上述した第１実施形態のように、新たなカード情報が表示パネル部１０に表示される。
【０１０５】
また、上述した第２実施形態において、カードケース１は、受電部を有していてもよい。カード２００とともにカードケース１をリーダライタ４００にかざした時に、リーダライタ４００から供給される電力をカードケース１が受電した際に、ケース受信部１５０Ｂが所定の情報を受信したか判定するようにしてもよい。これによれば、カードケース１が電力を受電するまでは、カードケース１は、起動しなくてもよいため、さらに省電力化を図ることができる。
【０１０６】
なお、利用者が所定の操作をして（例えば、カードケース１の外側表面に設けられた操作スイッチを押すことにより）、カード情報を表示パネル部１０に表示したり、カード情報を表示パネル部１０から消去したりできる構成を備えていてもよい。
【０１０７】
また、カード２００は、接触式ＩＣカードであってもよいし、表示部及び電源部を備えた接触式／非接触式ＩＣカードであってもよい。
【０１０８】
上述の通り、本発明は、ここでは記載していない様々な実施形態を含む。従って、本発明の技術的範囲は上記の説明から妥当な特許請求の範囲に係る発明特定事項によってのみ定められるものである。
【符号の説明】
【０１０９】
１…カードケース、  ５…ケース本体部、  ５ａ…開口部、  ５ｂ…内側面、  ５ｃ…底面、  １０…表示パネル部、  ２０…基板、  ２０ａ…表面基板、  ２０ｂ…裏面基板、  ４０…電極、  ４０Ａ…表面電極、  ４０Ｂ…裏面電極、  ４５…ＴＦＴ（薄膜トランジスタ）、  ６０…表示媒体、  ６０Ｂ…黒色表示媒体、  ６０Ｗ…白色表示媒体、  ８０…隔壁、  １２０…駆動部、  １３０…ケース制御部、  １３５…ケース記憶部、  １４０…ケース電源部、  １５０Ａ…ケース送信部、  １５０Ｂ…ケース受信部、  １５０Ｃ…電力送信部、１５５…ケースアンテナ部、  １６０…スイッチ部、  １７０…検出部、  ２００…カード、  ２３０…カード制御部、  ２３５…カード記憶部、  ２４０…受電部、  ２５０Ａ…カード送信部、  ２５０Ｂ…カード受信部、  ２５５…カードアンテナ部、  ４００…リーダライタ、  ４３０…リーダライタ制御部、  ４４０…リーダライタ電源部、  ４５０Ａ…リーダライタ送信部、  ４５０Ｂ…リーダライタ受信部、  ４５５…リーダライタアンテナ部
【図１】
2014016932.tif 000003
【図２】
2014016932.tif 000004
【図３】
2014016932.tif 000005
【図４】
2014016932.tif 000006
【図５】
2014016932.tif 000007
【図６】
2014016932.tif 000008
【図７】
2014016932.tif 000009
【図８】
2014016932.tif 000010